(57)【特許請求の範囲】
【請求項１】
車両の車室内に配設され、操作者が操作を行う操作部とメニューの表示を行う表示部とを備えたタッチパネル装置において、
前記車両の停車中に、予め設定されている方法とは異なる方法で前記操作部の操作が行われたことを検出する誤操作検出手段と、前記誤操作検出手段により誤操作が検出された場合に前記操作部の操作練習を行う練習機能を発現させる練習機能発現手段とを有することを特徴とするタッチパネル装置。
【請求項２】
請求項１記載のタッチパネル装置において、
前記操作部が車室中央側に配設され、当該車両が右ハンドルの場合と左ハンドルの場合とに応じて前記操作練習の際に表示させるアイコンを変化させることを特徴とするタッチパネル装置。
【請求項３】
請求項１または２記載のタッチパネル装置において、
前記車両の走行中に、予め設定されている方法とは異なる方法で前記操作部の操作が行われた場合には、前記練習機能発現手段は前記練習機能の発現を停止させることを特徴とするタッチパネル装置。
【請求項４】
請求項３記載のタッチパネル装置において、
発現が停止された前記練習機能を記憶手段に記憶して前記車両の停止時に該練習機能を発現させることを特徴とするタッチパネル装置。
【発明の詳細な説明】
【技術分野】
【０００１】
本発明は、車両のタッチパネル装置に関する。
【背景技術】
【０００２】
カーナビゲーションシステム等の表示装置において、操作者の接触により入力を検知するタッチパネル装置が広く知られ用いられている。このタッチパネル装置では操作者が接触したキーが入力情報となるため、キーの操作方法は特に重要である。従って、操作方法が誤っていた場合には通常の操作を行うことができず、所望の情報を得ることができない。
上述の問題点を解消すべく、操作ミスの発生回数が所定値に達した場合に、ガイダンスを行う技術が知られている（例えば「特許文献１」参照）。
【先行技術文献】
【特許文献】
【０００３】
【特許文献１】特開２００６−２５９８５５号公報
【発明の概要】
【発明が解決しようとする課題】
【０００４】
上述した技術ではガイダンスが行われるので、操作者はそのガイダンスを参照して操作を行うことができる。しかし、操作者がガイダンス通りに操作したか否かは判定できないため、操作者が正しい操作の練習を行うことができたか否かは判断できず、操作者が正しい操作を覚えることは確実ではない。
本発明は上述の問題点を解決し、操作者が正しい操作を覚えるために、操作者が誤った操作を行った際に練習を行うことが可能なタッチパネル装置の提供を目的とする。
【課題を解決するための手段】
【０００５】
請求項１記載の発明は、車両の車室内に配設され、操作者が操作を行う操作部とメニューの表示を行う表示部とを備えたタッチパネル装置において、前記車両の停車中に、予め設定されている方法とは異なる方法で前記操作部の操作が行われたことを検出する誤操作検出手段と、前記誤操作検出手段により誤操作が検出された場合に前記操作部の操作練習を行う練習機能を発現させる練習機能発現手段とを有することを特徴とする。
【０００６】
請求項２記載の発明は、請求項１記載のタッチパネル装置において、さらに前記操作部が車室中央側に配設され、当該車両が右ハンドルの場合と左ハンドルの場合とに応じて前記操作練習の際に表示させるアイコンを変化させることを特徴とする。
【０００７】
請求項３記載の発明は、請求項１または２記載のタッチパネル装置において、さらに前記車両の走行中に、予め設定されている方法とは異なる方法で前記操作部の操作が行われた場合には、前記練習機能発現手段は前記練習機能の発現を停止させることを特徴とする。
【０００８】
請求項４記載の発明は、請求項３記載のタッチパネル装置において、さらに発現が停止された前記練習機能を記憶手段に記憶して前記車両の停止時に該練習機能を発現させることを特徴とする。
【発明の効果】
【０００９】
本発明によれば、操作者が操作を完全に習熟していないことを誤操作検出手段が判断して操作者に対して操作練習を促すので、操作に不慣れな操作者であっても練習を重ねることにより正確な操作を素早く習熟することができ、使い勝手を格段に向上することが可能なタッチパネル装置を提供することができる。
【図面の簡単な説明】
【００１０】
【図１】本実施形態を適用した車両のタッチパネル装置の概略図である。
【図２】本実施形態に用いられるタッチパネル装置を車内に搭載した状態を示す概略図である。
【図３】本実施形態に用いられるアイコンの概略図である。
【図４】本実施形態における車両走行中でのタッチパネル装置における練習機能の発現制限を説明するフローチャートである。
【発明を実施するための形態】
【００１１】
図１は、本発明の一実施形態を採用した車両のタッチパネル装置を示している。同図においてタッチパネル装置１は、複数の機能４を表示する表示部２と、操作者によって操作が行われる操作部３とを有しており、例えば表示部２にはナビゲーションシステムの画面を表示している。タッチパネル装置１は、図２に示すように、車両６の車室７内に互いに別体で設けられている。
【００１２】
各機能４には、それぞれ「Ａ」、「Ｂ」、「Ｃ」、「Ｄ」、「Ｅ」の表示がなされており、具体的には、例えば「オーディオ」、「電話」、「時計」、「走行情報」等が表示されている。操作者は、操作部３の操作により表示させたい機能４を選択して決定する。機能４の選択は、操作部３に対して指を接触させた状態で移動させることによるフリック操作によって行われ、機能４の決定は操作部３を指で押し込む押し込み操作によって行われる。
【００１３】
上述のフリック操作及び押し込み操作がうまく実行できないと、機能４の選択及び決定を確実に行うことができない。このタッチパネル装置１を使用し始めた際には操作方法が判らないため、機能４の中には「はじめての方へ」という機能があり、この機能４をタッチするとタッチパネル装置１の練習機能が発現して、操作部３の操作練習を行うことができる。この操作練習を行うことにより、操作者は操作部３の操作を確実に習熟することができる。
【００１４】
操作練習は、例えば上下左右のフリック操作、押し込み操作を行う。そして、正しい操作が行われた際には次のステップに進み、間違った操作が行われた際には音声で正しい操作を操作者に対して報知する。そして、全てのステップが終了すると操作練習が終了する。例えば右フリックの練習時に間違った操作が行われた場合には、次のように報知を行う。
【００１５】
先ず左フリックされた場合には、「右から左へ指が移動しました。現在、右フリック以外の操作はできません。」という報知を行う。上フリックされた場合には、「下から上へ指が移動しました。現在、右フリック以外の操作はできません。」という報知を行う。下フリックされた場合には、「上から下へ指が移動しました。現在、右フリック以外の操作はできません。」という報知を行う。指の移動量が少ない場合には、「指の移動量が足りません。もう少し長く指を移動させて下さい。」という報知を行う。指の移動速度が遅い場合には、「もう少し素早く指を移動させて下さい。」という報知を行う。そして２箇所以上タッチした場合には、「タッチパネルに２本の指が触りました。右フリックは１本の指で操作して下さい。」という報知を行う。他の方向のフリック操作も同様である。
【００１６】
上述の操作練習により、操作者は操作の学習効率を高めることができ、操作の確実な習熟を達成することができる。しかし、タッチパネル装置１において機能４の表示は階層化されており、常時機能４の中に「初めての方へ」というメニューが表示されているとは限らない。そのため、操作練習を行うために現在開いている機能を閉じて画面を戻したり、練習をせずに適当に操作を行って正しい表示ができなかったりするという問題点があった。
【００１７】
本発明は上述の問題点を解決すべく、タッチパネル装置１に予め設定されている方法とは異なる方法で操作部３が操作されたことを誤操作検出手段が検出した際に、機能４の「はじめての方へ」が選択された場合と同様にタッチパネル装置１の練習機能を練習機能発現手段が発現させることで、操作部３の操作練習を行うことができる構成とした。なお、機能４の選択が予め設定されている方法とは異なる方法で操作部３が操作された場合には、操作練習を行うか否かのメニューが開いて操作練習の中止を選択することも可能である。
【００１８】
ここで、本実施形態における、予め設定されている方法とは異なる方法について説明する。本発明のタッチパネル装置１では、上述したようにその操作は操作部３におけるフリック操作及び押し込み操作によって行われる。フリック操作及び押し込み操作では、操作部３のタッチパッドに対して一定時間以上指が触れていることはないため、一定時間以上タッチパッドに指が触れている場合には、予め設定されている方法とは異なる方法であると誤操作検知手段が検知して練習機能発現手段が練習機能を発現させる。また、通常のタッチパネルの操作では指を２本以上使用することはないため、２本以上の指がタッチパッドに触れている場合には、予め設定されている方法とは異なる方法であると誤操作検知手段が検知して練習機能発現手段が練習機能を発現させる。
【００１９】
さらに、表示部２における機能４の選択や設定及びページ移動等が左右のフリック操作のみである場合には、上下のフリック操作が予め設定されている方法とは異なる方法であると誤操作検出手段が検知する場合もある。また、上述した練習機能でも示したように、指の移動量が少ない場合や指の移動速度が遅い場合に、予め設定されている方法とは異なる方法であると誤操作検出手段が検知する構成としてもよい。
【００２０】
上述の構成により、予め設定されている方法とは異なる方法で操作部３の操作が行われた際に、誤操作検知手段が誤操作を検知して練習機能発現手段が練習機能を発現させるので、操作者が操作を完全に習熟していないことを誤操作検知手段が検知して練習機能発現手段が操作者に対して操作練習を促す。このため、操作に不慣れな操作者であっても練習を重ねることにより正確な操作を確実に習熟することができ、使い勝手を格段に向上することが可能なタッチパネル装置を提供することができる。
【００２１】
図３は、練習機能において例えばフリック操作を操作者に練習させる際の表示（アイコン）を示している。図３（ａ）に示す指型のアイコン８は、タッチパネル装置１が右ハンドルの車両に搭載されている場合に表示部２に表示される。また、図３（ｂ）に示す指型のアイコン９は、タッチパネル装置１が左ハンドルの車両に搭載されている場合に表示部２に表示される。
【００２２】
このように、練習機能においては右ハンドル車と左ハンドル車とに応じてアイコンの表示を変化させている。このため、操作者が実際に操作する側の手指で操作方法が教示されるので、操作者にとっては直感的な理解度が高まり、所定の操作を確実に習熟することが可能となる。
【００２３】
本実施形態において、予め設定されている方法とは異なる方法で操作部３の操作が行われた際に練習機能を発現させる構成は、安全性を考慮して車両の停止時においてのみ行われる。なお、この停止時には、車両走行中における信号での一時停止等、エンジン始動状態での停止を含む。しかし、タッチパネル装置１の操作は車両の停止時のみには限定されず、車両走行中にも行われる。そこで第３の実施形態では、車両走行中でのタッチパネル装置１における練習機能の発現制限について、図４に示すフローチャートに基づいて説明する。
【００２４】
先ず、タッチパネル装置１において操作部３が予め設定されている方法とは異なる方法で操作されたこと（誤操作という）が誤操作検出手段によって検出されると（ＳＴ０１）、車両６に設けられた図示しない制御手段である、ＣＰＵ、ＲＯＭ、ＲＡＭ等を有する周知のマイクロコンピュータからなるＥＣＵは、車両６の速度情報を取得して車両６が走行中か否かを判断する（ＳＴ０２）。速度情報が０であって車両６が走行中ではないと判断すると、ＥＣＵは練習機能発現手段に対して練習機能を発現させるように促す（ＳＴ０３）。そして、所定の練習機能が終了すると、表示部２の表示が初期画面に戻る。
【００２５】
ステップＳＴ０２において、速度情報が０ではなくＥＣＵが車両走行中であると判断すると、ＥＣＵは練習機能発現手段に対して練習機能の発現を停止させる旨の指令を送る（ＳＴ０５）。この場合、表示部２の表示は誤操作が行われた表示を維持しており、ＥＣＵは誤操作が行われたことを記憶する記憶手段として機能する。そして、ＥＣＵにより速度情報が０となって車両６が停止したと判断されると（ＳＴ０６）、ステップＳＴ０３に進んでＥＣＵは練習機能発現手段に対して練習機能を発現させるように促す。
【００２６】
上述の構成によれば、操作部３が予め設定されている方法とは異なる方法で操作されたことを誤操作検出手段が検出しても、車両６が走行中であることが認識されると練習機能発現手段に対して表示部２への練習機能の発現を停止する指令が送られるので、運転者が運転中に練習操作を行うことが確実に防止され、安全性を向上することができる。
上述の実施形態では、誤操作検出手段及び練習機能発現手段として具体的な構成を示していないが、各手段としてはＣＰＵ、ＲＯＭ、ＲＡＭ等を有する周知のマイクロコンピュータが適用可能であり、これ等は表示部２または操作部３に設けられる。
【００２７】
以上、本発明の好ましい実施の形態について説明したが、本発明は上述した特定の実施形態に限定されるものではなく、上述の説明で特に限定していない限り、特許請求の範囲に記載された本発明の趣旨の範囲内において、種々の変形・変更が可能である。本発明の実施の形態に記載された効果は本発明から生じる最も好適な効果を列挙したに過ぎず、本発明による効果は本発明の実施の形態に記載されたものに限定されるものではない。
【符号の説明】
【００２８】
１・・・タッチパネル装置、２・・・表示部、３・・・操作部、４・・・機能、５，８，９・・・アイコン、６・・・車両、７・・・車室
【図１】
0006607115.tif 000002
【図２】
0006607115.tif 000003
【図３】
0006607115.tif 000004
【図４】
0006607115.tif 000005